(57)【要約】【課題】クラウン側の撓みやすさを向上したゴルフクラブヘッドを提供すること。【解決手段】本ゴルフクラブヘッドは、フェース部、ソール部、及びクラウン部を有する中空のゴルフクラブヘッドであって、前記ソール部の外面から中空部側に窪む凹部を有し、前記凹部は、フェース側に位置する前方壁と、前記前方壁よりもバック側に位置する上方壁と、を備え、前記前方壁は、水平面に対して角度θＡで上方へのびる部分を有し、前記上方壁は、水平面に対して角度θＢで上方へのびる部分を有し、前記角度θＡ＞前記角度θＢであり、少なくとも１つの外側リブが前記凹部に配置されている。【選択図】図６
2018093889.tif 000002
【特許請求の範囲】
【請求項１】
フェース部、ソール部、及びクラウン部を有する中空のゴルフクラブヘッドであって、
前記ソール部の外面から中空部側に窪む凹部を有し、
前記凹部は、フェース側に位置する前方壁と、前記前方壁よりもバック側に位置する上方壁と、を備え、
前記前方壁は、水平面に対して角度θＡで上方へのびる部分を有し、
前記上方壁は、水平面に対して角度θＢで上方へのびる部分を有し、
前記角度θＡ＞前記角度θＢであり、
少なくとも１つの外側リブが前記凹部に配置されていることを特徴とするゴルフクラブヘッド。
【請求項２】
前記外側リブは、内面側に空洞を形成することを特徴とする請求項１に記載のゴルフクラブヘッド。
【請求項３】
前記外側リブは、水平面に対し傾斜する側面と、下方面と、を有することを特徴とする請求項１または２に記載のゴルフクラブヘッド。
【請求項４】
前記外側リブは、フェース側ほどトウ−ヒール方向の幅が大きい部分を有することを特徴とする請求項１乃至３の何れか一項に記載のゴルフクラブヘッド。
【請求項５】
前記外側リブは、最前端部が前記凹部の前方壁に接続し、最後端部が前記凹部の上方壁に接続することを特徴とする請求項１乃至４の何れか一項に記載のゴルフクラブヘッド。
【請求項６】
前記凹部の前記前方壁よりフェース側であって、かつトウ−ヒール方向において前記外側リブの間に配置される内側リブを有することを特徴とする請求項１乃至５の何れか一項に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドにおいて、ゴルフボールの打出角を上げ、打撃性能を向上させるための様々な技術が検討されている。打撃性能を向上させる技術としては、例えば、特許文献１〜９に記載の技術が挙げられる。ゴルフボールの打出角を上げ、打撃性能を向上させるためには、クラウン側の撓みやすさを十分に考慮することが必要である。
【先行技術文献】
【特許文献】
【０００３】
【特許文献１】特開２０１６−１０６８８６号公報
【特許文献２】特開２０１６−０２２３８４号公報
【特許文献３】特開２００３−０８８６０１号公報
【特許文献４】米国特許明細書第９４０９０６７号
【特許文献５】米国特許明細書第９１６２１１８号
【特許文献６】米国特許明細書第８４０９０３０号
【特許文献７】米国特許公開２０１６／０９６０８５
【特許文献８】米国特許公開２０１５／３６７２０４
【特許文献９】米国特許公開２０１５／１２６３０４
【発明の概要】
【発明が解決しようとする課題】
【０００４】
本発明は、クラウン側の撓みやすさを向上したゴルフクラブヘッドを提供することを目的とする。
【課題を解決するための手段】
【０００５】
本ゴルフクラブヘッドは、フェース部、ソール部、及びクラウン部を有する中空のゴルフクラブヘッドであって、前記ソール部の外面から中空部側に窪む凹部を有し、前記凹部は、フェース側に位置する前方壁と、前記前方壁よりもバック側に位置する上方壁と、を備え、前記前方壁は、水平面に対して角度θＡで上方へのびる部分を有し、前記上方壁は、水平面に対して角度θＢで上方へのびる部分を有し、前記角度θＡ＞前記角度θＢであり、少なくとも１つの外側リブが前記凹部に配置されていることを要件とする。
【発明の効果】
【０００６】
開示の技術によれば、クラウン側の撓みやすさを向上したゴルフクラブヘッドを提供できる。
【図面の簡単な説明】
【０００７】
【図１】本実施の形態に係るゴルフクラブヘッド１を例示する斜視図である。
【図２】本実施の形態に係るゴルフクラブヘッド１を例示する底面図である。
【図３】本実施の形態に係るゴルフクラブヘッド１を例示する横断面図である。
【図４】外側リブ１３２の底面の略中央を通るようにフェース−バック方向に切断した縦断面図である。
【図５】隣接する外側リブ１３２の間を通るようにフェース−バック方向に切断した縦断面図である。
【図６】図５のＢ部近傍の部分拡大断面図である。
【図７】図７は、図２のＡ部近傍の部分拡大底面図である。
【図８】図７のＣ部近傍の部分拡大斜視図である。
【図９】並置された複数の外側リブ１３２を横切るようにトウ−ヒール方向に切断した縦断面図である。
【図１０】図９のＤ部近傍の部分拡大断面図である。
【図１１】図９のＤ部近傍の変形例を示す部分拡大断面図である。
【発明を実施するための形態】
【０００８】
以下、図面を参照して、実施の形態の説明を行う。なお、各図面において、同一構成部分には同一符号を付し、重複した説明を省略する場合がある。
【０００９】
図１は、本実施の形態に係るゴルフクラブヘッド１を例示する斜視図である。図２は、本実施の形態に係るゴルフクラブヘッド１を例示する底面図である。図３は、本実施の形態に係るゴルフクラブヘッド１を例示する横断面図であり、クラウン部側を切断してソール部内側を視た図である。
【００１０】
図１〜図３において、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１〜図３に示すゴルフクラブヘッド１は、ウッド型のゴルフクラブヘッドであって、例えばドライバであるが、ユーティリティやフェアウェイウッドであってもよい。ゴルフクラブヘッド１は、例えば、チタン合金、チタン、ステンレス、アルミニウム合金等の金属材料を用いて形成することができる。また、ゴルフクラブヘッド１は、複数の部品を接合して組み立てることができる。以下、ゴルフクラブヘッド１について詳説する。
【００１２】
ゴルフクラブヘッド１は、フェース部１１と、クラウン部１２と、ソール部１３と、サイド部１４と、ホゼル部１５とを有する中空構造体である。なお、中空構造体の内側の面を内面、外側の面を外面と称する場合がある。また、中空構造体の内部を中空部と称する場合がある。
【００１３】
フェース部１１は、打撃面となるフェース面１１ｆを備えた部分である。なお、フェース部１１は所定の厚みを有しており、フェース面１１ｆはフェース部１１の外面をなしている。クラウン部１２は、ゴルフクラブヘッド１の上部を形成する部分である。ソール部１３は、ゴルフクラブヘッド１の底部を形成する部分である。サイド部１４は、クラウン部１２とソール部１３とを繋ぐ部分である。ホゼル部１５は、シャフトと連結される部分である。
【００１４】
ソール部１３には凹部１３１が配置されている。凹部１３１は、ソール部１３の外面から中空部側に窪んでおり、ソール部１３の内面から中空部側に突出している。
【００１５】
凹部１３１には、フェース−バック方向を長手方向とする６個の外側リブ１３２が所定の間隙を空けて略平行に配置されている。但し、外側リブ１３２の個数は６個には限定されず、外側リブ１３２は少なくとも１個配置されていればよい。また、フェース部１１とソール部１３との境界部近傍の中空部側には、内側リブ１３５が配置されている。
【００１６】
ここで、凹部１３１、外側リブ１３２、及び内側リブ１３５について、より詳しく説明する。図４は、外側リブ１３２の底面の略中央を通るようにフェース−バック方向に切断した縦断面図である。図５は、隣接する外側リブ１３２の間を通るようにフェース−バック方向に切断した縦断面図である。図６は、図５のＢ部近傍の部分拡大断面図である。
【００１７】
図４〜図６に示すように、凹部１３１は、フェース側に位置する前方壁１３１Ａと、前方壁１３１Ａよりもバック側に位置する上方壁１３１Ｂと、上方壁１３１Ｂよりもバック側に位置する後方壁１３１Ｃとを備えている。
【００１８】
前方壁１３１Ａは、水平面ＨＯ１に対して角度θＡで上方へのびる部分を有している。また、上方壁１３１Ｂは、水平面ＨＯ１に対して角度θＢで上方へのびる部分を有している。そして、角度θＡ＞角度θＢである。角度θＡは、例えば、４５度以上９０度以下とすることができる。角度θＢは、例えば、１０度以上３０度以下とすることができる。なお、ＨＯ２は、水平面ＨＯ１に平行な平面を示している。これにより、凹部１３１に配置される外側リブ１３２を軽量化しつつ、ソール部１３の剛性を高めることができる。
【００１９】
また、後方壁１３１Ｃは、水平面ＨＯ１に対して角度θＣで上方へのびる部分を有している。そして、角度θＣ＞角度θＢである。角度θＣは、例えば、４５度以上９０度以下とすることができる。
【００２０】
外側リブ１３２の最大高さＨ１は、例えば、０．５ｍｍ以上５ｍｍ以下とすることができる。
【００２１】
内側リブ１３５は、凹部１３１の前方壁１３１Ａよりフェース側であって、かつトウ−ヒール方向において外側リブ１３２の間に配置されている（図２及び図３も参照）。内側リブ１３５は、フェース部１１とソール部１３との境界部近傍のヘッド内面から中空部側に突出しており、ゴルフクラブヘッド１の外側には突出していない。従って、内側リブ１３５はゴルフクラブヘッド１の外方側から視認することはできない。
【００２２】
このように、外側リブ１３２を設けることにより、ソール部１３側の剛性を高めることができる。また、外側リブ１３２の間に内側リブ１３５を設けることにより、ソール部１３側の剛性を更に高めることができる。
【００２３】
図７は、図２のＡ部近傍の部分拡大底面図である。図８は、図７のＣ部近傍の部分拡大斜視図である。
【００２４】
図７及び図８に示すように、外側リブ１３２は、最前端部１３２ｆが凹部１３１の前方壁１３１Ａに接続し、最後端部１３２ｒが凹部１３１の上方壁１３１Ｂに接続している。また、外側リブ１３２は、フェース側ほどトウ−ヒール方向の幅が大きい部分を有している。
【００２５】
また、外側リブ１３２は、水平面に対し傾斜する側面１３２ｓと、水平面に対し略平行な下方面１３２ｄとを有している。側面１３２ｓは略三角形状であり、下方面１３２ｄは略矩形状である。側面１３２ｓの一辺は下方面１３２ｄの一辺に接続しており、側面１３２ｓの他の一辺は前方壁１３１Ａに接続している。側面１３２ｓの更に他の一辺は上方壁１３１Ｂに接続している。
【００２６】
外側リブ１３２を図７及び図８に示す形状とすることにより、不要に大きなリブを設けることなく、効率よくソール部１３の剛性を高めることができる。また、外側リブ１３２の個数を選択することにより、ソール部１３の剛性を容易に調整することができる。
【００２７】
外側リブ１３２のフェース−バック方向の長さＬ１は、例えば、３ｍｍ以上１５ｍｍ以下とすることができる。外側リブ１３２のトウ−ヒール方向の最大長さＬ２は、例えば、２ｍｍ以上１０ｍｍ以下とすることができる。
【００２８】
図９は、並置された複数の外側リブ１３２を横切るようにトウ−ヒール方向に切断した縦断面図である。図１０は、図９のＤ部近傍の部分拡大断面図である。
【００２９】
図９及び図１０に示すように、外側リブ１３２は、ヘッド内面側に空洞を形成している。外側リブ１３２のヘッド内面側に空洞を形成することで、ソール部１３に一定の剛性を確保しつつ、ゴルフクラブヘッド１を軽量化することができる。但し、ゴルフクラブヘッド１の軽量化よりもソール部１３の剛性を高めることを重視する場合には、図１１の変形例に示すように、外側リブ１３２のヘッド内面側を中実としてもよい。
【００３０】
このように、ゴルフクラブヘッド１では、ソール部１３に配置された凹部１３１を有し、少なくとも１つの外側リブ１３２が凹部１３１に配置されている。これにより、ゴルフクラブヘッド１のソール部１３の剛性を高めて、クラウン部１２側が撓みやすいようにし、ゴルフボールの打出角を上げ、打撃性能を向上させることができる。また、外側リブ１３２の間に内側リブ１３５を設けることにより、ソール部１３側の剛性を更に高めることが可能となり、打撃性能をいっそう向上させることができる。
【００３１】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００３２】
例えば、ホゼル部を、シャフト先端に固着されるスリーブを着脱可能な構成としてもよい。スリーブを用いることで、容易にシャフト交換することができる。また、スリーブ内に設けられたシャフト挿入穴の軸をホゼル部の穴の中心軸に対して傾けて形成することも可能である。この場合、スリーブを軸方向に回転させ、ホゼル部との嵌合位置を変えることで、ライ角やフェースアングルを可変することができる。
【符号の説明】
【００３３】
１  ゴルフクラブヘッド
１１  フェース部
１１ｆ  フェース面
１２  クラウン部
１３  ソール部
１４  サイド部
１５  ホゼル部
１３１  凹部
１３１Ａ  前方壁
１３１Ｂ  上方壁
１３１Ｃ  後方壁
１３２  外側リブ
１３２ｄ  下方面
１３２ｆ  最前端部
１３２ｒ  最後端部
１３２ｓ  側面
１３５  内側リブ
【図１】
2018093889.tif 000003
【図２】
2018093889.tif 000004
【図３】
2018093889.tif 000005
【図４】
2018093889.tif 000006
【図５】
2018093889.tif 000007
【図６】
2018093889.tif 000008
【図７】
2018093889.tif 000009
【図８】
2018093889.tif 000010
【図９】
2018093889.tif 000011
【図１０】
2018093889.tif 000012
【図１１】
2018093889.tif 000013